(57)【要約】      （修正有）【課題】靴に簡単に取り付け取り外しができ、どれだけ歩行しても靴から脱落せず、使用しないときはコンパクトに収納できる滑り止め補助装具を提供する。【解決手段】丈夫な素材で構成された敷底２に、複数のスパイクピン１０を適宜な間隔を以て含有立直させ、敷底幅両端部分に、靴等に巻きつけて固定するための丈夫で扁平な紐３，４をリベット２０で固着し、その紐に直角に更なる紐５を結合して足首に巻きつけられるようにした補助装具を靴に装着する。【選択図】図３
0003186343.tif 000002
【実用新案登録請求の範囲】
【請求項１】
丈夫な素材で構成された敷底に、複数のスパイクピンを適宜な間隔を以て含有立直させ、敷底幅両端部分に、靴巻付用固定用の丈夫で扁平な紐を固着し、該靴巻付用固定用紐に足首巻付固定用紐を直角に固着してなる補助装具
【考案の詳細な説明】
【技術分野】
【０００１】  この考案は、雪道などで滑って転倒するのを防止するために、自分の靴等に簡単に着脱できる補助装具に関するものである。
【背景技術】
【０００２】  従来から、雪道等での滑り転倒防止用として様々なスパイクシューズや簡易アイゼンが提案されているが、それはいわば特殊な靴であったり、がっちりとしたアイゼンであったりしており、日常的に履く通常の靴以外に備えておくことが必要とされる提案である。しかし、雪の多い地方では必須かもしれないが、雪の量はそれ程多くはない都市部においては使用頻度の極少ない特殊な靴の需要あるいは特殊なアイゼンの需要などはほとんどない。最近、このような都市部でも雪の日などに装着できて便利なスノースパイク装具が提案されており、靴の甲に巻きつけるだけの簡単なタイプであるが、残念なことに歩行中にどんどん靴の先端のほうにずれていってしまい、ついには脱げ落ちてしまう恐れがある。
【先行技術文献】
【特許文献】
【０００３】
【特許文献１】  特開２００８−３５９３１
【特許文献２】  特開２０００−１２５９０２
【特許文献３】  実用新案登録第３１８２４３５号
【考案の概要】
【考案が解決しようとする課題】
【０００４】  しかしながら、雪の少ない都市部において、実際に雪道を歩行する際は、通常の靴では滑り易くまたそれにより転倒しやすく、骨折や強度の打撲等を引き起こすことも少なくはなく、はなはだ危険である。前述のように、都市部においては、専用のスノースパイクシューズの使用頻度は極めて低いと考えられているため、保有している方々も大変少なく、また経済的にみても靴箱のこやしのような存在ではたとえスノースパイクシューズがあったとしても忘れられた存在として浮かばれないものがある。さらに、スノースパイク装具として提案されているものがあるが歩行中に靴の先端から脱げ落ちてしまう恐れがある。本考案は、専用のスノースパイクシューズを必要としない補助装具であって、雪道でも滑らないように、靴に簡単に取り付け取り外しができ、どれだけ歩行しても靴から脱落せず、使用しないときはコンパクトに収納できることを課題とする。
【課題を解決するための手段】
【０００５】  丈夫な素材で構成された敷底に、複数のスパイクピンを適宜な間隔を以て含有立直させ、敷底幅両端部分に、靴巻付固定用の丈夫で扁平な紐を固着し、該靴巻付固定用紐に足首巻付固定用紐を直角に固着してスパイク装具を構成する。尚、敷底は数枚の丈夫な布あるいは革を貼り合わせて制作しても良い。
【考案の効果】
【０００６】  本考案によれば、雪道等を歩行する必要のある時は、スパイクピンを設けた丈夫な素材でできた敷底に自分の靴を乗せ、敷底の両端に一例としてタルカンを利用して接続した扁平で丈夫な靴巻付固定用側紐と靴巻付固定用上部紐を靴の略中央部に靴巻付固定用側紐の２重タルカンで締め付け装着し、靴巻付固定用上部紐の途中から直角に結合されている足首巻付用固定紐を足首に巻きつけ、その端部は足首巻付固定用紐固定紐の２重タルカンで固定することで装着が完了する。したがって、靴底部にはピンを下方に突出させた敷底部分が当たり靴に対して滑りにくくし、このピンが雪に食い込み、靴全体の滑りを抑え転倒などを防ぐ効果があり、足首巻付固定用紐により、本補助装具が歩行中に靴の先端方向にずれていくことを防ぎ、脱落を防止する。また、本補助装具の靴への取り付け取り外しはだれでもいつでも容易に行うことができる効果がある。【０００７】  第２の効果として、本補助装具は靴等から取り外すと、各部位が独立しており、さらに２本の扁平な長い紐が重なって十文字の紐のような形状になるため、収納においても場所は取らず、折りたたんだりして、いかようにしても収納形態は楽である。【０００８】  第３の効果として、本補助装具は丈夫な布とスパイクピンという、どこでも入手可能な素材を使用しており、また金型なども必要ないので製作コストは低く抑えられる。【０００９】  第４の効果として、旅行社など常時旅行者に対してケアを要求されるような職種においては、旅行者分の数量の本補助装具を準備しておけば、旅行中の突然の降雪などに際しても迅速に旅行者に装着させることができ、旅行者の安全を確保できる効果を有する。【００１０】  第５の効果として、運送会社など梱包された品物を各家庭や会社に配送する任務においては、配送者分の数量の本補助装具を準備しておけば、突然の降雪に際しても、滑ることなく安全に品物を配送でき、社会的混乱を最小限に抑えることが可能となる。【００１１】  第６の効果として、公的機関の、たとえば清掃局、郵便局、などの戸外で業務される部門の方々向けに、本補助装具を準備しておけば、突然の降雪に際しても、滑ることなく安全に業務を遂行でき、社会的混乱を最小限に抑えることが可能となる。
【図面の簡単な説明】
【００１２】
【図１】本考案の補助装具を広げた状態を表す図。
【図２】本考案の補助装具を広げた、第１図の状態の裏側を示す図。
【図３】本考案の補助装具を使用状態にしたことを示す参考図。
【図４】本考案の補助装具を実際に靴に取り付けた状態を示す図。
【考案を実施するための形態】
【００１３】    本考案の補助装具を靴に装着するための構成について説明する。
【実施例】
【００１４】  以下、図面に従って本考案実施例を説明する。図１は本考案の実施例の補助装具であり、１は補助装具全体を示しており、２は敷底、３は６の足首巻付固定用紐固定紐を固定した靴巻付固定用側紐、４は靴のかかとにしっかりと補助装具を縛り装着するための靴巻付固定用上部紐であり、５は補助装具１が靴３０から抜け落ちないように靴のかかとにしっかりと引っかかるように長さ調整のできる足首巻付固定用紐を示している。上記それぞれの部位は、タルカン７、８、８’、９、９’により柔軟に連接されており、これらを封入するために生地を巻き込んでリベット２０が撃ち込まれている。【００１５】  図２は図１の補助装具の裏側を示したものであり、敷底２には複数のスパイクピンが立設されている。これらのスパイクピンが雪面に食い込み、滑らずに安定して歩行できる基礎となる。【００１６】  図３は本補助装具１の使用時における各部位の関係を示しており、このように各部位が独立して形成されているので、使用しないときはコンパクトに折りたたむことができ、収納場所を制限せず、ポケットにも楽々入るサイズになる。【００１７】  図４は本補助装具を実際に靴に装着した時の状態を示しているが、足首巻付固定用紐５が靴３０のかかとにしっかりと絡みついており、補助装具１は靴３０から脱落することはない。【００１８】  敷き底２の基本的な仕様としては、長さ約６ｃｍ〜１０ｃｍ程度、幅約４ｃｍ程度、厚さ約６ｍｍ程度の丈夫な素材で構成され、５〜９本の金属製のスパイクピンを適宜な間隔を以て含有立直させているものである。【００１９】  本実施例では各部位にタルカンを封入するためにリベットを用いているが、リベットに代え、ミシンで縫い合わせても良く、あるいは強力な接着剤を使用しても良い。またタルカンを使用せずに、面ファスナーで紐を固定するやり方もある。ただしこの場合は、面ファスナーが水分を含んでいても、あるいは低温の環境下でも十分作用するものであることが条件となる。さらに、スパイクピンは金属製でなくても耐久性や強度のある素材で形成してもよい。
【符号の説明】
【００２０】  １    補助装具
２    敷底
３    靴巻付固定用側紐
４    靴巻付固定用上部紐
５    足首巻付固定用紐
６    足首巻付固定用紐固定紐
７    タルカン
８    靴巻付固定用上部紐装着用タルカン１
８’  靴巻付固定用上部紐装着用タルカン２
９    足首巻付固定用紐装着用タルカン１
９’  足首巻付固定用紐装着用タルカン２
１０  スパイクピン
２０  リベット
３０  靴
【図１】
0003186343.tif 000003
【図２】
0003186343.tif 000004
【図３】
0003186343.tif 000005
【図４】
0003186343.tif 000006